(57)【要約】【課題】　　機器キャビネットのサービス・エリアへのアクセスを制御するための装置及び方法を提供する。【解決手段】　キャビネットは、開口部と開口部を覆っているパネルを有する。電気機器は、キャビネット内に位置していて、高電圧が供給された場合に動作することができる。インターロック機構は、電気機器へのアクセスを阻止するために、パネルが開口部を覆っているロック位置と、電気機器にアクセスすることができるように、パネルを開いたり、取り外したりすることができるアンロック位置との間を移動する。電気機器への高電圧の供給がストップした場合、電気機器に関連する残留電圧が監視される。インターロック機構は、ロック位置から、残留電圧が所定の基準値以下に下がった場合に、電気機器にアクセスすることができるアンロック位置へ移動する。【選択図】　図１
2004064999.tif 000002
【特許請求の範囲】
【請求項１】
機器が配置されているキャビネットのサービス・エリアへのアクセスを制御するための装置であって、
　電気機器への高電圧の供給がストップした場合に、残留電気特性を監視するための手段と、
　前記残留電気特性が所定の基準レベル以下に下がった場合に、前記キャビネットの前記サービス・エリアにアクセスすることができるように、インターロック機構を解除するための手段と、
を備える装置。
【請求項２】
前記監視手段が残留電圧を監視するための手段を含み、前記解除手段が、前記残留電圧が所定の電圧レベル以下に下がった場合に、インターロック機構を解除するための手段を含む、請求項１に記載の装置。
【請求項３】
開口部を形成している手段と開口部を覆っているパネルを含むキャビネットと、
　前記キャビネット内に配置されていて、高い電気エネルギーが供給された場合、動作することができる電気機器と、
　前記電気機器へのアクセスを阻止するために、前記パネルが前記開口部を覆っているロック位置と、前記電気機器にアクセスすることができるように、前記パネルを開いたり、取り外したりすることができるアンロック位置との間を移動することができるインターロック機構と、
　所定の基準値を供給するための参照手段と、
　前記電気機器への高電圧の供給がストップした場合に、前記電気機器に関連する残留電気特性を監視するための手段と、
　前記残留電気特性が所定の基準値以下に下がった場合に、前記電気機器にアクセスすることができるように、前記インターロック機構を前記ロック位置から前記アンロック位置に移動するための手段と、
を備える装置。
【請求項４】
前記パネルがドアを備える、請求項３に記載の装置。
【請求項５】
前記参照手段が、所定の基準電圧値を供給するための基準電圧源を含む、請求項３に記載の装置。
【請求項６】
前記監視手段が、前記電気機器に関連する残留電圧を監視するための残留電圧レベル検出器を含む、請求項５に記載の装置。
【請求項７】
前記移動手段が作動した場合に、前記インターロック機構を前記ロック位置から前記アンロック位置に移動して、前記電気機器に関連する前記残留電圧が前記所定の基準電圧値以下に下がった場合に、前記電気機器にアクセスすることができるようにする作動可能なソレノイドを含む、請求項６に記載の装置。
【請求項８】
機器が配置されているキャビネットのサービス・エリアへのアクセスを制御するための方法であって、
　前記装置に供給された高電圧がストップした場合に、残留電気特性を監視するステップと、
　前記残留電気特性が所定の基準レベル以下に下がった場合に、前記キャビネットの前記サービス・エリアにアクセスすることができるようにインターロック機構を解除するステップと、
を含む方法。
【請求項９】
前記監視ステップが残留電圧を監視するステップを含み、前記解除ステップが、前記残留電圧が所定の電圧レベル以下に下がった場合に、インターロック機構を解除するステップを含む、請求項８に記載の方法。
【請求項１０】
高電圧源に接続することができ、アクセス開口部と前記アクセス開口部を覆っているパネルを有するキャビネット内に配置されている電気機器を整備修理するための方法であって、
　電気機器への高電圧がストップした場合に、前記電気機器に関連する残留電圧を監視するステップと、
　インターロック機構を、電気機器へのアクセスを阻止するために前記パネルが前記開口部を覆っているロック位置から、前記残留電圧が所定の電圧値以下に下がった場合に、整備修理スタッフが前記電気機器にアクセスすることができるように、前記パネルを開いたり、取り外したりすることができるアンロック位置へ移動するステップと、
を含む方法。
【発明の詳細な説明】
【技術分野】
【０００１】
　本発明は、機器キャビネット内の高電圧に関し、特に、機器キャビネットのサービス・エリアへのアクセスを制御するための装置及び方法に関する。
【背景技術】
【０００２】
　ある種の電気機器は動作するために高電圧を必要とする。このような機器は、通常、高電圧が機器に供給されている場合、整備修理スタッフを高電圧から保護するためにキャビネット内に収容されている。場合によっては、高電圧がキャビネット内の機器に供給されている場合に、ドア、カバー・パネル等が開いたり取り外されたりして、整備修理スタッフがキャビネット内の機器にアクセスするのを防止するために、インターロック機構が作動するようになっている。機器に供給されている高電圧が中断したりストップしたりした場合には、ドア、カバー・パネル等を開いたり、取り外したりすることができるように、インターロック機構は作動不能になる。インターロック機構が作動不能になると、整備修理スタッフは、キャビネット内の機器にアクセスすることができる。
【発明の開示】
【発明が解決しようとする課題】
【０００３】
　ある種の機器の場合には、機器に供給された高電圧を中断したり、ストップした後に残留電圧が残っている場合がある。残留電圧の存在の可能性についての警告は、通常、整備修理資料に記載されているし、このような警告は機器上にも貼付されている。警告が、整備修理資料に記載されていても、機器上に貼付することができても、多くの場合、整備修理スタッフは、これらの警告を見落とす恐れがある。
【課題を解決するための手段】
【０００４】
　ある態様によれば、本発明は、機器が配置されているキャビネットのサービス・エリアへのアクセスを制御するためのものである。この装置は、機器に供給されていた高電圧がストップした場合に、残留電気特性を監視するための手段を備える。手段は、残留電気特性が所定の基準レベル以下に下がった場合、キャビネットのサービス・エリアにアクセスすることができるように、インターロック機構を解除するためのものである。
【０００５】
　好適には、監視手段は、残留電圧を監視するための手段を含むことが好ましく、解除手段は、残留電圧が所定の電圧レベル以下に下がった場合に、インターロック機構を解除するための手段を含むことが好ましい。
【０００６】
　他の態様によれば、本発明は、開口部を形成している手段、及び開口部を覆っているパネルを含むキャビネットを備える装置である。この装置は、さらに、キャビネット内に配置されていて、高い電気エネルギーが供給された場合、動作することができる電気機器を備える。インターロック機構は、電気機器へのアクセスを阻止するために、パネルが開口部を覆っているロック位置と、電気機器にアクセスすることができるように、パネルを開いたり、取り外したりすることができるアンロック位置との間を移動することができる。所定の基準電圧を供給するために参照手段が設置されている。電気機器への高電圧の供給がストップした場合に、電気機器に関連する残留電気特性を監視するための手段も設置されている。残留電気特性が所定の基準電圧以下に下がった場合に、電気機器にアクセスすることができるように、インターロック機構をロック位置からアンロック位置に移動するための手段も設置されている。
【０００７】
　パネルはドアを備えることができる。参照手段は、所定の基準電圧値を供給するための基準電圧源を含むことができる。監視手段は、電気機器に関連する残留電圧を監視するための残留電圧レベル検出器を含むことができる。移動手段は、作動した場合に、インターロック機構をロック位置からアンロック位置に移動して、電気機器に関連する残留電圧が所定の基準電圧値以下に下がった場合に、電気機器にアクセスすることができるようにする作動可能なソレノイドを含むことができる。
【０００８】
　さらに他の態様によれば、本発明は、装置に供給された高電圧がストップした場合に、残留電気特性を監視するステップと、残留電気特性が所定の基準電圧レベル以下に下がった場合に、キャビネットのサービス・エリアにアクセスすることができるように、インターロック機構を解除するステップとを含む機器が配置されているキャビネットのサービス・エリアへのアクセスを制御するための方法である。監視ステップは、残留電圧を監視するステップを含むことができるし、解除ステップは、残留電圧が所定の電圧レベル以下に下がった場合に、インターロック機構を解除するステップを含むことができる。
【０００９】
　さらに他の態様によれば、本発明は、電気機器への高電圧がストップした場合に、電気機器に関連する残留電圧を監視するステップと、インターロック機構を、電気機器へのアクセスを阻止するためにパネルが開口部を覆っているロック位置と、残留電圧が所定の電圧値以下に下がった場合に、整備修理スタッフが電気機器にアクセスすることができるように、パネルを開いたり、取り外したりすることができるアンロック位置との間を移動するステップとを含む、高電圧源に接続することができ、アクセス開口部とアクセス開口部を覆っているパネルを有するキャビネット内に配置されている電気機器を整備修理するための方法である。パネルはドアを備えることができる。移動ステップは、インターロック機構をロック位置からアンロック位置に移動する目的で、ソレノイド・プランジャを移動するためにソレノイドを作動するステップを含むことができる。
【００１０】
　添付の図面を参照しながら、本発明の一実施形態について説明するが、これは単に例示としてのものに過ぎない。
【発明の効果】
【００１１】
　本発明の機器１２へのアクセスを制御するための装置及び方法を使用すれば、残留電圧レベル検出器１６及び高圧ソレノイド１８を使用することにより、機器１２からの残留電圧が所定の基準電圧レベル以下に下がるまで、カバー・パネル２４を取り外すことができないように、インターロック機構２２を制御することができることである。これにより、機器１２を整備修理する目的で、機器１２にアクセスするために、整備修理スタッフがカバー・パネル２４を開いたり、取り外したりする前に、機器１２からの残留電圧は確実にある電圧レベル以下に下がる。
【発明を実施するための最良の形態】
【００１２】
　本発明は、機器キャビネットのサービス・エリアへのアクセスを制御するための装置及び方法に関する。キャビネットは、高電圧が供給される任意のタイプの電気機器を収容することができる。
【００１３】
　図面は、高電圧源１４から高電圧の供給を受ける高圧電気機器１２を収容している機器キャビネット１０である。高電圧源１４からの高電圧は、機器１２に対する動作のために必要なエネルギー源である。キャビネット１０は、また、機器１２に供給されている高電圧が中断又はストップした場合に、機器１２からの残留電圧を監視するための残留電圧レベル検出器１６も収容している。機器１２からの残留電圧の電圧レベルは、機器１２に供給された高電圧が中断又はストップした後で、時間の経過とともに低下する傾向がある。
【００１４】
　キャビネット１０は、さらに、インターロック機構２２に機械的カップリング２０により機械的に接続しているプランジャ（図示せず）を有する作動可能な高圧ソレノイド１８も収容している。インターロック機構２２は、キャビネット１０のカバー・パネル２４に機械的に接続している。ソレノイド１８が作動を止めると、プランジャは、インターロック機構２２がロック位置に位置するような位置を占める。インターロック機構２２がロック位置にあると、カバー・パネル２４は、整備修理スタッフにより開けることもできないし、取り外すこともできないので、機器１２にアクセスすることはできない。
【００１５】
　ソレノイド１８は、残留電圧レベル検出器１６からの出力信号に応じて作動する。好適には、残留電圧レベル検出器１６は、検出器１６が、機器１２からの残留電圧の電圧レベルが、基準電圧源１９からの所定の基準電圧レベル以下に下がったことを感知した場合、高圧ソレノイド１８を作動する出力信号を供給することが好ましい。所定の電圧レベルは、例えば、機器１２が使用される特定の用途又は特定産業により任意の電圧レベルにすることができる。
【００１６】
　検出器１６からの出力信号に応じてソレノイド１８が作動すると、ソレノイド１８のプランジャは、機械的カップリング２０を通して動作して、インターロック機構２２を解除する。インターロック機構２２が解除されると、インターロック機構２２は、機器１２にアクセスするために、整備修理スタッフがカバー・パネル２４を開いたり、取り外したりできるように、ロック位置からアンロック位置に移動する。
【００１７】
　本発明の機器１２へのアクセスを制御するための装置及び方法を使用すれば、多数の利点が得られる。１つの利点は、残留電圧レベル検出器１６及び高圧ソレノイド１８を使用することにより、機器１２からの残留電圧が所定の基準電圧レベル以下に下がるまで、カバー・パネル２４を取り外すことができないように、インターロック機構２２を制御することができることである。これにより、機器１２を整備修理する目的で、機器１２にアクセスするために、整備修理スタッフがカバー・パネル２４を開いたり、取り外したりする前に、機器１２からの残留電圧は確実にある電圧レベル以下に下がる。
【００１８】
　今迄残留電圧レベル検出器１６、高圧ソレノイド１８、機械的カップリング２０、及びインターロック機構２２は、キャビネット１０内に位置するものとして説明してきたが、これら部材の一部又は全部をキャビネット１０の外に設置することもできる。さらに、残留電圧の電圧レベルを感知する場合を説明してきたが、例えば、残留電圧に関連する電流レベルのような、ある他の電気的量又は特性を感知することもできる。カバー・パネル２４を開いたり、取り外したりすることができるように、インターロック機構２２を解除するために、今迄説明してきたように高圧ソレノイド１８を作動させる代わりに、作動を停止させることもできる。さらに、カバー・パネル２４の代わりに、又はカバー・パネル２４と一緒にドア等を使用することもできる。
【００１９】
　本発明の上記説明を読めば、本発明が関連する業界の当業者であれば、多くの改善、変更及び修正を思いつくことができるだろう。本発明の範囲から逸脱することなしに、多くの置換及び修正を行うことができる。
【図面の簡単な説明】
【００２０】
【図１】高圧電気機器が配置されているキャビネットの概略ブロック図である。
【符号の説明】
【００２１】
１０　キャビネット
１２　高圧電気機器
１４　高電圧源
１６　残留電圧レベル検出器
１８　高圧ソレノイド
１９　基準電圧源
２０　機械的カップリング
２２　インターロック機構
２４　カバー・パネル
【図１】
2004064999.tif 000003